【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ステータアセンブリ（５８）であって、
複数のステータ歯（４６、７６）を含むステータコア（７４）であって、前記複数のステータ歯（４６、７６）が、ステータコア（７４）の中心にキャビティ（７８）を形成するように円周方向に配置される、前記ステータコア（７４）と、
前記複数のステータ歯（４６、７６）に巻き付けられた少なくとも１つのステータ巻線（１８、５２、８２）と、を含むステータアセンブリ（５８）と、
前記キャビティ（７８）内に配置され、前記ステータアセンブリ（５８）に対して回転するように構成されるロータアセンブリ（５６）と、
前記ステータアセンブリ（５８）または前記ロータアセンブリ（５６）の中に配置される複数のフェライト永久磁石（３２、５０、７２、９４）と、
前記複数のフェライト永久磁石（３２、５０、７２、９４）の温度をモニターするように構成される温度測定機構（２５）と、
コントローラ（２２）であって、
前記ロータアセンブリ（５６）が前記ステータアセンブリ（５８）に対して回転するように、ステータ磁場を生成するために前記ステータ巻線（１８、５２、８２）に主要な電流を印加するようにプログラムされ、
前記複数のフェライト永久磁石（３２、５０、７２、９４）の温度について、前記温度測定機構（２５）からフィードバックを受け取り、
前記複数のフェライト永久磁石（３２、５０、７２、９４）の検出された温度が、閾値温度よりも低下した場合に、二次的な磁場を生成するために前記ステータ巻線（１８、５２、８２）に二次的な電流を選択的に印加して、前記二次的な磁場が、前記複数のフェライト永久磁石（３２、５０、７２、９４）を加熱するようにプログラムされるコントローラ（２２）と、を含む永久磁石機械（１０、４０、５４、８４、９０）。
【請求項２】
前記ロータアセンブリ（５６）は、電気伝導性材料で形成されるリング素子（９６）を含み、前記ステータ巻線（１８、５２、８２）に前記二次的な電流が印加されることに応答して、渦電流が前記リング素子（９６）に誘起される、請求項１に記載の永久磁石機械（１０、４０、５４、８４、９０）。
【請求項３】
前記リング素子（９６）は、前記ロータアセンブリ（５６）上に、またはその中に配置され、そのようにして、前記リング素子（９６）は、前記複数のフェライト永久磁石（３２、５０、７２、９４）に隣接して配置される、請求項２に記載の永久磁石機械（１０、４０、５４、８４、９０）。
【請求項４】
前記リング素子（９６）は、抵抗性素子または誘導性素子を用いて前記ステータアセンブリ（５８）に接続される、請求項２に記載の永久磁石機械（１０、４０、５４、８４、９０）。
【請求項５】
前記ロータアセンブリ（５６）は、前記複数のフェライト永久磁石（３２、５０、７２、９４）に隣接して配置される磁気熱量素子（９８）を含み、前記磁気熱量素子（９８）は、磁場にさらされた場合に熱を発生させるように構成される、請求項１乃至４のいずれかに記載の永久磁石機械（１０、４０、５４、８４、９０）。
【請求項６】
前記二次的な電流は前記主要な界磁電流の周波数より高い周波数を有する、請求項１乃至５のいずれかに記載の永久磁石機械（１０、４０、５４、８４、９０）。
【請求項７】
前記二次的な電流は、１０Ｈｚ以上の動作電流波形の近傍の周波数を有する脈動電流である、請求項１乃至６のいずれかに記載の永久磁石機械（１０、４０、５４、８４、９０）。
【請求項８】
前記コントローラ（２２）は、前記ステータ巻線（１８、５２、８２）に印加される前記二次電流を前記印加された主要な界磁電流に重畳させるようにプログラムされる、請求項１乃至７のいずれかに記載の永久磁石機械（１０、４０、５４、８４、９０）。
【請求項９】
前記コントローラ（２２）は、印加されている前記主要な界磁電流が存在しない場合には、前記二次電流を前記ステータ巻線（１８、５２、８２）に印加するようにプログラムされる、請求項１乃至８のいずれかに記載の永久磁石機械（１０、４０、５４、８４、９０）。
【請求項１０】
フェライト永久磁石電気機械（１０、４０、５４、８４、９０）を加熱する方法であって、前記方法は、
複数のステータ歯（４６、７６）を含むであって、前記複数のステータ歯（４６、７６）が、ステータコア（７４）の中心にキャビティ（７８）を形成するように円周方向に配置される、前記ステータコア（７４）と、
前記複数のステータ歯（４６、７６）に巻き付けられた少なくとも１つのステータ巻線（１８、５２、８２）と、を含むステータアセンブリ（５８）を提供するステップと、
前記キャビティ（７８）内に配置され、前記ステータアセンブリ（５８）に対して回転するように構成されるロータアセンブリ（５６）を提供するステップと、
前記ステータアセンブリ（５８）または前記ロータアセンブリ（５６）のどちらかに配置される複数のフェライト永久磁石（３２、５０、７２、９４）を提供するステップと、
前記複数のフェライト永久磁石（３２、５０、７２、９４）の検出された温度が、閾値温度よりも低下した場合に、前記複数のフェライト永久磁石（３２、５０、７２、９４）を選択的に加熱するステップと、を含み、
前記複数のフェライト永久磁石（３２、５０、７２、９４）を選択的に加熱するステップは、
磁場を選択的に生成するために前記ステータ巻線（１８、５２、８２）に電流を印加することにより前記複数のフェライト永久磁石（３２、５０、７２、９４）を加熱するステップと、
前記ロータアセンブリ（５６）上に、またはその中に配置されるリング素子（９６）において渦電流を誘起する、または、前記複数のフェライト永久磁石（３２、５０、７２、９４）に隣接して配置される磁気熱量素子（９８）に磁場を印加するステップを含み、
前記複数の磁気熱量素子（９８）は前記磁場にさらされた場合に加熱する、方法。
【請求項１１】
ステータアセンブリ（５８）であって、
複数のステータ歯（４６、７６）を含むステータコア（７４）と、
前記複数のステータ歯（４６、７６）に巻き付けられた少なくとも１つのステータ巻線（１８、５２、８２）と、を含むステータアセンブリ（５８）と、
前記ステータアセンブリ（５８）によって規定されるキャビティ（７８）内に配置され、前記ステータアセンブリ（５８）に対して回転するように構成されるロータアセンブリ（５６）と、
前記ロータアセンブリ（５６）に配置される複数のフェライト永久磁石（３２、５０、７２、９４）と、
前記複数のフェライト永久磁石（３２、５０、７２、９４）の温度をモニターするように構成される温度測定機構（２５）と、
前記複数のフェライト永久磁石（３２、５０、７２、９４）の検出された温度が、閾値温度よりも低下した場合に、前記複数のフェライト永久磁石（３２、５０、７２、９４）を加熱するように構成される発熱素子と、を含み、前記発熱素子は、
電気伝導性材料で形成され、前記ロータアセンブリ（５６）上に、またはその中に配置されるリング素子（９６）であって、前記リング素子（９６）は、前記ステータ巻線（１８、５２、８２）に電流が印加されたとき、渦電流が前記リング素子（９６）に誘起される、リング素子（９６）と、
前記複数のフェライト永久磁石（３２、５０、７２、９４）に隣接して配置され、磁場にさらされた場合に熱を発生させるように構成される複数の磁気熱量素子（９８）と、のうちの一方を含む、内部永久磁石機械（５４、８４、９０）。
【請求項１２】
コントローラ（２２）をさらに含み、前記コントローラ（２２）は、  前記ステータ磁場を生成するために前記ステータ巻線（１８、５２、８２）に主要な電流を印加して、前記ロータアセンブリ（５６）が前記ステータアセンブリ（５８）に対して回転するようにプログラムされ、
二次的な磁場を選択的に生成するために前記ステータ巻線（１８、５２、８２）に二次的な電流を選択的に印加して、前記二次的な磁場が、前記複数のフェライト永久磁石（３２、５０、７２、９４）を加熱するために、前記ロータアセンブリ（５６）に渦電流を誘起するようにプログラムされ、
前記リング素子（９６）および前記磁気熱量素子（９８）のうちの前記一方において生成された前記熱は、加熱を提供するために、前記複数のフェライト永久磁石（３２、５０、７２、９４）へ伝導される、請求項１１に記載の内部永久磁石機械（５４、８４、９０）。